(57)【特許請求の範囲】
【請求項１】
基台と、
前記基台上で透明板および天板により囲まれたプレー空間と、
前記天板の下方に敷設された案内レールに支持され、前記プレー空間内を前記案内レールに沿って走行制御機構の駆動により走行する走行架台と、
前記走行架台の下端に設けられた伸縮昇降機構と、
前記伸縮昇降機構の下端に設けられ、前記伸縮昇降機構による伸縮動作に応じて昇降し、前記プレー空間内に配置される景品を掴む掴持装置と、
前記プレー空間に配置され、前記掴持装置により掴まれた景品が投入される景品投入筒と、
前記景品投入筒に連通して設けられ、前記景品投入筒に投入された景品を取り出す景品取り出し口と、
景品取得に成功したことを検出する景品取得成功センサと、
プレイヤが操作する操作手段と、
前記プレイヤの操作に関連する景品取得を表示する表示装置と、
前記操作手段からの操作信号を受信して、前記走行制御機構により前記走行架台を走行させ、前記伸縮昇降機構により前記掴持装置を昇降させて、前記掴持装置により景品を掴持させる制御を実行する制御手段と、
前記プレイヤがコインを投入するコイン投入口と、
前記コイン投入口にコインが投入されたことを検出するコイン投入検出スイッチと、
楽曲を再生する音再生装置と、
を有し、
前記表示装置は、
ゲーム開始からの経過時間を表示する時計式表示装置を有し、
前記時計式表示装置は、
長針表示プレートと、
短針表示プレートと、
前記長針表示プレートを回転駆動させる長針駆動モータと、
前記短針表示プレートを回転駆動させる短針駆動モータと、
を備えており、
前記制御手段は、
前記コイン投入検出スイッチからの検出信号を受信して、前記長針表示プレートを１２時の位置に戻した後に該長針表示プレートの回動を開始させて、前記時計式表示装置にゲーム開始からの経過時間の表示を行う制御を実行し、かつ
前記景品取得成功センサからの検出信号を受信して、前記音再生装置により楽曲の再生を開始させるとともに、前記時計式表示装置に表示させるゲーム開始からの経過時間の表示を解除して、前記音再生装置により演奏される楽曲に合せて前記長針表示プレートおよび前記短針表示プレートを左右に振れさせる制御を実行する
ことを特徴とする景品取得ゲーム装置。
【請求項２】
前記表示装置は、
鐘の形状をなし、鐘の音が出ない複数の鐘部材と、
各鐘部材を動作させる鐘駆動装置と、
をさらに備え、
前記制御手段は、
前記景品取得成功センサから検出信号を受信して、前記音再生装置により鐘の音からなる楽曲の再生を開始させるとともに、前記鐘駆動装置により前記複数の鐘部材のそれぞれを、前記楽曲に合わせて動作させる制御を実行する
ことを特徴とする請求項１に記載の景品取得ゲーム装置。
【発明の詳細な説明】
【０００１】
【発明の属する技術分野】
本出願発明は、プレイヤーが景品取り出し操作手段を操作して、筐体内の景品を景品取り出し収納部へ搬出する際の景品取得状況を表示する景品取得状況表示装置を備えた景品取得ゲーム装置に関するものである。
【０００２】
【従来技術】
従来の景品取得ゲーム装置においては、景品取得の経過状況を表示したものはなく、景品取得が成功した時にファンファーレが鳴り、ランプが点滅するものはあった。
【０００３】
【解決しようとする課題】
しかし、ファンファーレとランプの点滅とは無関係であり、またファンファーレは、目に見えないテープレコーダの如き音再生装置により鳴っていたため、プレイヤーには、充分な成功満足感を与えることができなかった。
【０００４】
【課題を解決するための手段および効果】
本発明は、このような不具合を解消した景品取得ゲーム装置の改良に係り、請求項１記載の発明は、基台と、前記基台上で透明板および天板により囲まれたプレー空間と、前記天板の下方に敷設された案内レールに支持され、前記プレー空間内を前記案内レールに沿って走行制御機構の駆動により走行する走行架台と、前記走行架台の下端に設けられた伸縮昇降機構と、前記伸縮昇降機構の下端に設けられ、前記伸縮昇降機構による伸縮動作に応じて昇降し、前記プレー空間内に配置される景品を掴む掴持装置と、前記プレー空間に配置され、前記掴持装置により掴まれた景品が投入される景品投入筒と、前記景品投入筒に連通して設けられ、前記景品投入筒に投入された景品を取り出す景品取り出し口と、景品取得に成功したことを検出する景品取得成功センサと、プレイヤが操作する操作手段と、前記プレイヤの操作に関連する景品取得を表示する表示装置と、前記操作手段からの操作信号を受信して、前記走行制御機構により前記走行架台を走行させ、前記伸縮昇降機構により前記掴持装置を昇降させて、前記掴持装置により景品を掴持させる制御を実行する制御手段と、前記プレイヤがコインを投入するコイン投入口と、前記コイン投入口にコインが投入されたことを検出するコイン投入検出スイッチと、楽曲を再生する音再生装置と、を有し、前記表示装置は、ゲーム開始からの経過時間を表示する時計式表示装置を有し、前記時計式表示装置は、長針表示プレートと、短針表示プレートと、前記長針表示プレートを回転駆動させる長針駆動モータと、前記短針表示プレートを回転駆動させる短針駆動モータと、を備えており、前記制御手段は、前記コイン投入検出スイッチからの検出信号を受信して、前記長針表示プレートを１２時の位置に戻した後に該長針表示プレートの回動を開始させて、前記時計式表示装置にゲーム開始からの経過時間の表示を行う制御を実行し、かつ前記景品取得成功センサからの検出信号を受信して、前記音再生装置により楽曲の再生を開始させるとともに、前記時計式表示装置に表示させるゲーム開始からの経過時間の表示を解除して、前記音再生装置により演奏される楽曲に合せて前記長針表示プレートおよび前記短針表示プレートを左右に振れさせる制御を実行することを特徴とするものである。
【０００５】
請求項１に記載の発明は、前述したように構成されているので、プレイヤが操作スイッチを適宜操作することにより、走行架台、伸縮昇降装置および掴持装置を適切に動作させ、基台上で透明板および天板により囲まれたプレイ空間内の景品を前記掴持装置に掴持させ、景品投入筒に投入して、景品取得に成功すれば、表示装置に景品取得の成功を表示することができ、プレイヤのみならず、景品取得ゲーム装置の付近にいる傍観者にも景品取得が成功したことを知らせることができる。
また、プレイヤがコイン投入口に投入した時からの経過時間を時計式表示装置により知ることができ、プレイヤは所定時間内に景品の取得操作を完了するように、景品取得ゲーム装置を操作し、景品の取得成功率を向上させることができる。
さらにまた、景品取得が成功した場合、音再生装置を動作させ、楽曲を再生させるとともに、時計式表示装置に表示されるゲーム開始からの経過時間の表示を解除し、再生装置により演奏される楽曲に合わせて、長針表示プレートおよび短針表示プレートを左右に振れさせ、興趣を高めることができる。
【０００６】
請求項２に記載の発明は、請求項１に記載の景品取得ゲーム装置において、前記表示装置は、鐘の形状をなし、鐘の音が出ない複数の鐘部材と、各鐘部材を動作させる鐘駆動装置とをさらに備え、前記制御手段は、前記景品取得成功センサから検出信号を受信して、前記音再生装置により鐘の音からなる楽曲の再生を開始させるとともに、前記鐘駆動装置により前記複数の鐘部材のそれぞれを、前記楽曲に合わせて動作させる制御を実行することを特徴とする。
【０００７】
請求項２に記載の発明によれば、景品取得成功時に、鐘の音からなる楽曲を再生させることができるとともに、音再生装置により演奏される楽曲に合わせて、鐘の音の出ない複数の鐘部材を動作させ、曲に合わせて所要の音階の鐘を傾け、あたかも鐘を楽器とした曲が演奏されたかのような印象を、プレイヤや傍観者に与えることができる。しかも、実際に鐘を鳴らしていないため、音の出る鐘を用意する必要がなく、かつ、曲に合わせて正確に鐘を傾動動作させる必要がないので、従来市販の音再生装置を用いることができる結果、大幅なコストダウンが可能となる。
【００１１】
【発明の実施の形態】
以下、図１ないし図９に図示された本出願発明の一実施形態について説明する。
【００１２】
本出願発明の景品取得ゲーム状況表示装置１を備えた景品取得ゲーム装置は、クレーンゲーム装置０であって、その筐体２は、平面形状が略正６角形で、該筐体２の基台３上で透明板４および天板５により囲まれたプレー空間６は、プレー区劃板57で６個の正３角柱状のプレー区劃７に仕切られ、該プレー区劃７の基台３上には、大きな縫包みのような各種大型景品（図示されず）が多数積み重ねられた状態で載置され、該透明板４は、基台３の外周部内で上下に開閉自在に設けられるとともに、上方へ閉じられた場合には、その状態を保持する図示されないロック手段が設けられている。
【００１３】
また、前記プレー区劃７の奥行隅部７ａには、図示されない天井クレーンのビームの基端が、鉛直線を中心に６０°の範囲内で旋回自在に枢支されるとともに、該ビームの他端は、天板５下方の外周縁に沿って円弧状に敷設された図示されない旋回案内レールに案内支持され、前記天井クレーンのビームには、図示されない走行架台が設けられて、該ビームに沿いプレー空間６内を半径方向へ走行しうるようになっている。
【００１４】
さらに、前記天井クレーンのビームに設けられた走行架台には、伸縮昇降装置８の上端部が取り付けられ、該伸縮昇降装置８の下端部には、掴持装置９が設けられており、図９に図示された制御ブロック図に図示されている周方向走行操作ボタンスイッチ10を押している間、前記走行架台、伸縮昇降装置８および掴持装置９は、クレーンゲーム装置０の外側にいる図示されないプレイヤーから見て、左側から右側に移動し、前記図９に図示されている半径方向走行操作ボタンスイッチ11を押している間、前記走行架台、伸縮昇降装置８および掴持装置９は、透明板４からプレー区劃７の奥行隅部７ａに向って移動しうるようになっている。
【００１５】
さらにまた、前記透明板４より外方に位置した基台３の上面に操作卓12が形成され、該操作卓12上に前記周方向走行操作ボタンスイッチ10および半径方向走行操作ボタンスイッチ11が配設されるとともに、図示されないコイン投入口が配設されており、該コイン投入口にコインを投入すると、そのコイン投入金額に対応して、図９に図示の７セグメントプレイ可能回数表示器13上にプレイ可能回数が表示されるようになっているとともに、図９に図示のコイン投入検出スイッチ14がオンしうるようになっている。
【００１６】
しかも、前記各掴持装置９の本体９ａに左右１対の掴持爪９ｂが開閉自在に設けられ、前記掴持装置９のホームポジションの下方の基台３の上面に景品投入筒15が配設され、該景品投入筒15の下部は基台３の外周壁３ａの景品取り出し口（図示されず）に連通され、該景品取り出し口は景品取り出し扉16でもって開閉自在に閉じられており、掴持装置９でもって図示されない景品を掴持し、この景品を景品投入筒15に投入することが成功した場合には、景品取り出し扉16よりこの景品を取り出すことができるようになっている。
【００１７】
また、透明板４の上方の飾り壁17には、各飾り壁17毎で、下側左右両側に鐘18が３個ずつ、上側左右両側に１個ずつ、計８個が配設されているとともに、飾り壁17の左右中央に時計式表示装置19が１個ずつ配設されている。
【００１８】
さらに、前記鐘18の基端支持杆は、図３および図４に図示されるように、飾り壁17と一体の鐘支持ブラケット20に、支持軸21を介して前後に傾動自在に枢支されるとともに、鐘支持ブラケット20と一体の鐘傾動ソレノイド22の可動部22ａに連結片23を介して連結されており、該鐘傾動ソレノイド22がオンすると、鐘傾動ソレノイド22の可動部22ａが引き込まれて、鐘18が傾動されるようになっている。
【００１９】
さらにまた、時計式表示装置19では、図５ないし図８に図示されるように、透明外側円板24と不透明内側円板25との外周部がスペーサ26を介して相互に一体に結合され、該透明外側円板24の外面に取り付け板27が設けられ、該取り付け板27が飾り壁17に取り付けられている。
【００２０】
しかも、不透明内側円板25の内側（筐体２の）に、短円筒状ケース28が形成され、該ケース28内で上下に短針駆動モータ29と長針駆動モータ30とが配設され、該短針駆動モータ29，長針駆動モータ30の回転軸29ａ，30ａに短針ドライブギヤ31，長針ドライブギヤ32がそれぞれ一体に嵌着され、不透明内側円板25とケース28とに軸受33を介して短針回転軸34が回転自在に枢着されるとともに、該短針回転軸34内に長針回転軸35が回転自在に嵌合され、該短針回転軸34，長針回転軸35の内端に短針ドリブンギヤ36，長針ドリブンギヤ37がそれぞれ嵌着されるとともに、該短針ドリブンギヤ36，長針ドリブンギヤ37は前記短針ドライブギヤ31，長針ドライブギヤ32にそれぞれ噛合され、前記短針回転軸34，長針回転軸35の外端にそれぞれ短針表示プレート38，長針表示プレート39が一体に嵌着されており、前記短針駆動モータ29，長針駆動モータ30が稼動状態となると、短針表示プレート38，長針表示プレート39がそれぞれ回転駆動されるようになっている。
【００２１】
次に図９に図示される制御装置40について説明する。
【００２２】
図示されない電源に接続された電源電線41はスイッチングレギュレータ42を介して主制御装置43に接続されるとともに、テープレコーダアンプ44および蛍光灯45に接続され、しかもソリットステートリレー46を介して鐘照明ランプ47，点滅ランプ48に接続され、該テープレコーダアンプ44はスピーカ49に接続されている。
【００２３】
また、主制御装置43は、周方向走行操作ボタンスイッチ10，半径方向走行操作ボタンスイッチ11の操作信号、コイン投入検出スイッチ14のコイン投入検出信号、景品取得成功センサ50の景品検出信号、天井クレーン周方向走行制御機構51，天井クレーン半径方向走行制御機構52，伸縮装置動作制御機構53の動作検出信号を受信し、後で説明する制御信号を発信するようになっている。
【００２４】
さらに、主制御装置43からテープレコーダアンプ44にどのような曲を演奏するかその選曲信号と演奏開始信号を送信するようになっている。なお、テープレコーダアンプ44には音量調整摘み54が設けられている。
【００２５】
さらにまた、主制御装置43から時計式表示装置19に、時刻を表示させる時刻制御信号を発信するとともに、プレー開始後には、プレー開始後からの経過時間を、プレー許容時間（１回転）に対してどのような割合になっているかを表示するようになっている。
【００２６】
しかも、主制御装置43は、周方向走行操作ボタンスイッチ10，半径方向走行操作ボタンスイッチ11の操作に対応して天井クレーン周方向走行制御機構51，天井クレーン半径方向走行制御機構52に動作信号を送信するとともに、伸縮昇降装置８が所定位置に移動させる制御信号を送信し、伸縮昇降装置８の伸縮動作に対応させて掴持装置９の掴持モータ55を開閉駆動させる制御信号を送信するようになっている。
【００２７】
また、主制御装置43は、景品取得成功センサ50から景品取得成功信号を受信した時に、前記テープレコーダアンプ44に送信する選曲に対応した選曲信号を鐘駆動装置56に送信し、該鐘駆動装置56では、この選曲に対応した音程の鐘18を順次選択的に傾動させるようになっている。
【００２８】
図１ないし図９に図示の実施形態は前記したように構成されているので、図示されないコイン投入口よりコインを投入すると、これ迄時刻を表示していた時計式表示装置19の短針表示プレート38，長針表示プレート39の長短針は両方とも時計の１２の位置を指すように戻り、プレー可能時間に対し、コイン投入からの経過時間が長針表示プレート39の長針の回転で表示され、プレー残存時間が無くなった時に、長針表示プレート39の長針が１回転するようになる。
【００２９】
プレイヤーは、長針表示プレート39の長針の進み（コイン投入後の経過時間）を見ながら周方向走行操作ボタンスイッチ10をまず押して、伸縮昇降装置８および掴持装置９を左に向う周方向に移動させて、所定位置に達した時に、周方向走行操作ボタンスイッチ10から手を離し、次に半径方向走行操作ボタンスイッチ11を押して、伸縮昇降装置８および掴持装置９を中心に向う半径方向に移動させて、所定位置に達した時に、半径方向走行操作ボタンスイッチ11から手を離すと、伸縮昇降装置８および掴持装置９はその位置に停止したまま、伸縮昇降装置８が動作して、下方へ伸びるとともに、掴持装置９の掴持爪９ｂが自動的に開く。そして伸縮昇降装置８が下方へ伸びた後、掴持装置９の掴持爪９ｂが閉じ、基台３上面の景品を掴持する。
【００３０】
次に、伸縮昇降装置８および掴持装置９は元のホームポジションの景品投入筒15上に戻ると、伸縮昇降装置８が伸び、掴持装置９の掴持爪９ｂが開く。
【００３１】
この一連の動作で、景品を景品投入筒15内に投入することに成功すると、景品取得成功センサ50が動作し、テープレコーダアンプ44が動作して、所定の曲を演奏するとともに、鐘駆動装置56が動作して、前記演奏曲を鐘18でもって演奏するかのように、鐘18を所定のリズムとタイミングで次々と傾け、しかも点滅ランプ58が一方から他方に向って次々と点滅して光が流れるように表示する。
【００３２】
このため、プレイヤーや他の傍観者は、鐘18でもって、所定の曲が演奏されたかのような印象を持つことができ、音覚的のみならず視覚的にも、景品取得が成功したことを強く感ずることができる。
【００３３】
また、この時に、時計式表示装置19では、その曲のリズムに合せて、主制御装置43の制御でもって、短針表示プレート38，長針表示プレート39上の短針38ａおよび長針39ａ（図１参照）が左右に振れ、より一層興趣を盛り上げることができる。
【図面の簡単な説明】
【図１】本出願発明の景品取得状況表示装置の一実施形態を備えた景品取得ゲーム装置の正面図である。
【図２】その平面図である。
【図３】鐘の正面図である。
【図４】図３のIV−IV線に沿って裁断した横断側面図である。
【図５】時計式表示装置の縦断側面図である。
【図６】図５のVI−VI矢視図である。
【図７】図５の要部拡大縦断側面図である。
【図８】図７のVIII矢視図である。
【図９】前記実施形態のブロック図である。
【符号の説明】
０…クレーンゲーム装置、１…景品取得ゲーム状況表示装置、２…筐体、３…基台、４…透明板、５…天板、６…プレー空間、７…プレー区劃、８…伸縮昇降装置、９…掴持装置、10…周方向走行操作ボタンスイッチ、11…半径方向走行操作ボタンスイッチ、12…操作卓、13…プレイ可能回数表示器、14…コイン投入検出スイッチ、15…景品投入筒、16…景品取り出し扉、17…飾り壁、18…鐘、19…時計式表示装置、20…鐘支持ブラケット、21…支持軸、22…鐘傾動ソレノイド、23…連結片、24…透明外側円板、25…不透明内側円板、26…スペーサ、27…取り付け板、28…ケース、29…短針駆動モータ、30…長針駆動モータ、31…短針ドライブギヤ、32…長針ドライブギヤ、33…軸受、34…短針回転軸、35…長針回転軸、36…短針ドリブンギヤ、37…長針ドリブンギヤ、38…短針表示プレート、39…長針表示プレート、40…制御装置、41…電源電線、42…スイッチングレギュレータ、43…主制御装置、44…テープレコーダアンプ、45…蛍光灯、46…ソリットステートリレー、47…鐘照明ランプ、48…点滅ランプ、49…スピーカ、50…景品取得成功センサ、51…天井クレーン周方向走行制御機構、52…天井クレーン半径方向走行制御機構、53…伸縮装置動作制御機構、54…音量調整摘み、55…掴持モータ、56…鐘駆動装置、57…区劃板。
【図１】
0003968870.tif 000002
【図２】
0003968870.tif 000003
【図３】
0003968870.tif 000004
【図４】
0003968870.tif 000005
【図５】
0003968870.tif 000006
【図６】
0003968870.tif 000007
【図７】
0003968870.tif 000008
【図８】
0003968870.tif 000009
【図９】
0003968870.tif 000010